(57)【要約】【課題】LINCする機器に対して、予約録画中でも再生を行うことができる。【解決手段】  録画再生装置では、操作パネルで操作する機器とのLINCは、従来の場合のように、予約録画のためのLINCがなされているか否かに関わらず行われるので（他の機器が操作パネルの操作による録画が実行中である場合に限り拒否される）（ステップＳ２３およびステップＳ２７）、例えば予約録画中でも、操作パネルを操作して機器からの再生を行うことができる。【選択図】  図６
2006060368.tif 000002
【特許請求の範囲】
【請求項１】
IEEE1394インタフェースを介して接続され得る所定の機器と接続して、前記機器に対する録画再生を行う録画再生装置において、
前記機器の中から、再生を行う再生対象機器を選択する第１の選択手段と、
前記第１の選択手段により選択された前記再生対象機器と接続する接続手段と、
前記第１の選択手段により選択された前記再生対象機器に対する再生指令を入力する入力手段と、
前記第１の選択手段により選択された前記再生対象機器に対する再生処理を実行する再生手段と、
前記機器の中から、予約録画を行う予約録画対象機器を選択する第２の選択手段と、
前記第２の選択手段により選択された予約録画対象機器と接続して、前記予約録画対象機器に対する予約録画を行う録画手段と
を備え、
前記再生手段は、前記録画手段により前記予約録画処理が実行されているときでも、前記再生対象機器と接続する
ことを特徴とする録画再生装置。
【請求項２】
IEEE1394インタフェースを介して接続され得る所定の機器と接続して、前記機器に対する録画再生を行う録画再生方法において、
前記機器の中から、再生を行う再生対象機器を選択する第１の選択ステップと、
前記第１の選択ステップの処理で選択された前記再生対象機器と接続する接続ステップと、
前記第１の選択ステップの処理で選択された前記再生対象機器に対する再生指令を入力する入力ステップと、
前記第１の選択ステップの処理で選択された前記再生対象機器に対する再生処理を実行する再生ステップと、
前記機器の中から、予約録画を行う予約録画対象機器を選択する第２の選択ステップと、
前記第２の選択ステップの処理で選択された予約録画対象機器と接続して、前記予約録画対象機器に対する予約録画を行う録画ステップと
を含み、
前記再生ステップは、前記録画ステップの処理で前記予約録画処理が実行されているときでも、前記再生対象機器と接続する
ことを特徴とする録画再生方法。
【請求項３】
IEEE1394インタフェースを介して接続され得る所定の機器と接続して、前記機器に対する録画再生の制御をコンピュータに実行させるプログラムであって、
前記機器の中から、再生を行う再生対象機器を選択する第１の選択ステップと、
前記第１の選択ステップの処理で選択された前記再生対象機器と接続する接続ステップと、
前記第１の選択ステップの処理で選択された前記再生対象機器に対する再生指令を入力する入力ステップと、
前記第１の選択ステップの処理で選択された前記再生対象機器に対する再生処理を実行する再生ステップと、
前記機器の中から、予約録画を行う予約録画対象機器を選択する第２の選択ステップと、
前記第２の選択ステップの処理で選択された予約録画対象機器と接続して、前記予約録画対象機器に対する予約録画を行う録画ステップと
を含み、
前記再生ステップは、前記録画ステップの処理で前記予約録画処理が実行されているときでも、前記再生対象機器と接続する
ことを特徴とするプログラム。
【発明の詳細な説明】
【技術分野】
【０００１】
本発明は、録画再生装置および方法、並びにプログラムに関し、IEEE1394インタフェースを介して接続される機器に対して録画再生を行う録画再生装置および方法、並びにプログラムに関するものである。
【背景技術】
【０００２】
図１は、IEEE（the Institute of Electrical and Electronic Engineers）1394インタフェース２を有する、従来の録画再生装置１の利用例を示している（特許文献１）。
【０００３】
録画再生装置１には、IEEE1394インタフェース２を介して、複数の機器３−１，３−２，・・・・（以下、個々に区別する必要がない場合、機器３と称する）がデイジーチェンに接続されている。
【０００４】
録画再生装置１は、テレビジョン番組を受信してそれを表示することができるとともに、所定の機器３に録画されているコンテンツを、ユーザの、例えば図２に示すような操作パネルＰ（ボタンＰａ）に対する操作に応じて再生し表示することもできる。
【０００５】
録画再生装置１はまた、受信しているテレビジョン番組を、所定の機器３に、ユーザの操作パネルＰ（ボタンＰｂ）に対する操作に応じて録画することができるとともに、事前になされた録画予約に基づいて、テレビジョン番組を所定の機器３に録画することもできる（予約録画することができる）。
【０００６】
なお操作パネルＰを利用して機器３に対して録画再生を行う場合、および機器３に対して予約録画を行う場合、すなわち信号を送受信する場合は、機器３と論理的に接続（LINC：Logical Interface Connection）している必要がある。
【０００７】
ここで録画再生装置１の、操作パネルＰを利用して録画再生を行う機器３（操作パネルＰで操作する機器３）とのLINC処理を、図３のフローチャートを参照して説明する。
【０００８】
ステップＳ１において、操作パネルＰで操作する機器３が選択されると、ステップＳ２に進み、いずれかの機器３に対する予約録画が実行中であるか否かが判定される。すなわち予約録画のための機器３とLINCされているか否かが判定される。
【０００９】
ステップＳ２で、予約録画中であると判定された場合、ステップＳ３に進み、操作パネルＰで操作する機器３とLINCできない旨が表示される。
【００１０】
一方ステップＳ２で、予約録画がなされていないと判定された場合（予約録画のためのLINCがされていないとき）、ステップＳ４に進み、操作パネルＰで操作する機器として他の機器３（ステップＳ１で選択された機器３とは異なる機器３）がLINCされているか否かが判定され、LINCされていると判定された場合、ステップＳ５に進む。
【００１１】
ステップＳ５において、いまLINCされている機器３とのLINCが解除される。
【００１２】
ステップＳ４で、操作パネルＰで操作する機器として他の機器３がLINCされていないと判定されたとき、またはステップＳ５で他の機器３のLINCが解除されたとき、ステップＳ６に進み、ステップＳ１で選択された機器３がLINCされる。
【００１３】
次にステップＳ７において、操作パネルＰが表示される。これによりユーザは、この操作パネルＰを操作することによって、ステップＳ１で選択した機器３（LINCされた機器３）に対する録画再生を行うことができる。すなわちその機器３に記憶されているコンテンツを再生させたり、いま放送されている番組をその機器３に録画したりすることができる。
【００１４】
次に予約録画を行う場合の録画再生装置１の動作を、図４のフローチャートを参照して説明する。
【００１５】
ステップＳ１１において、録画開始時刻になったか否かが判定され、録画開始時刻になったと判定されたとき、ステップＳ１２に進む。なお録画開始時刻は、予約時に録画再生装置１が記憶している。
【００１６】
ステップＳ１２において、操作パネルＰに対する操作による録画が実行中であるか否かが判定される。すなわち図３に示したように、操作パネルＰで操作する機器３とのLINCが確立されて表示された操作パネルＰのボタンＰｂが操作されて、その機器３に対する録画が実行されているか否かが判定される。
【００１７】
ステップＳ１２で、操作パネルＰに対する操作による録画が実行中ではないと判定された場合（その録画が実行されていないとき）、ステップＳ１３に進み、予約録画を行う機器３がLINCされ、予約録画が開始される。すなわちその機器３に所定のテレビジョン番組が録画される。
【００１８】
次に、ステップＳ１４において、操作パネルＰに対する操作による再生が実行されているか否かが判定される。すなわち図３に示したように、操作パネルＰで操作する機器３とのLINCが確立されて表示された操作パネルＰのボタンＰａが操作されて、その機器３に対する再生が実行されているか否かが判定される。
【００１９】
ステップＳ１４で、操作パネルＰに対する操作による再生が実行中であると判定されたとき、ステップＳ１５に進み、再生画像の表示が停止される。
【００２０】
ステップＳ１４で、操作パネルＰに対する操作による再生が実行されていないと判定されたとき、またはステップＳ１５で再生画像の表示が停止されたとき、ステップＳ１６に進み、録画画像の表示が開始される。
【００２１】
ステップＳ１２で、操作パネルＰに対する操作による録画が実行中であると判定された場合、ステップＳ１７に進み、録画予約が解除される。
【００２２】
ステップＳ１６またはステップＳ１７の処理がなされた後、処理が終了する。
【特許文献１】特開平０９−１２０６６６号公報
【発明の開示】
【発明が解決しようとする課題】
【００２３】
録画再生機器１では、以上のようにして操作パネルＰに対する操作に応じた録画再生、および予約録画が行われるが、図３で示したように、操作パネルＰで操作する機器とのLINCは、予約録画のためのLINCがすでになされている場合（予約録画中）は拒否されるので（ステップＳ２，Ｓ３）、例えば予約録画中に、操作パネルＰを操作して所定の機器３から再生を行うことができなかった。
【００２４】
また図４に示したように、再生中に予約録画が開始されると、再生画像に代えて録画画像が表示されるので（ステップＳ１３乃至ステップＳ１６）、再生画像の視聴を妨げることなく、予約録画を行うことができなかった。
【００２５】
本発明ではこのような状況に鑑みてなされたものであり、例えば予約録画中でも再生を行うことができたり、再生画の視聴を妨げられることなく、予約録画が行われるようにするものである。
【課題を解決するための手段】
【００２６】
本発明の、IEEE1394インタフェースを介して接続され得る所定の機器と接続して、機器に対する録画再生を行う録画再生装置は、機器の中から、再生を行う再生対象機器を選択する第１の選択手段と、第１の選択手段により選択された再生対象機器と接続する接続手段と、第１の選択手段により選択された再生対象機器に対する再生指令を入力する入力手段と、第１の選択手段により選択された再生対象機器に対する再生処理を実行する再生手段と、機器の中から、予約録画を行う予約録画対象機器を選択する第２の選択手段と、第２の選択手段により選択された予約録画対象機器と接続して、予約録画対象機器に対する予約録画を行う録画手段とを備え、再生手段は、録画手段により予約録画処理が実行されているときでも、再生対象機器と接続することを特徴とする。
【００２７】
本発明の、IEEE1394インタフェースを介して接続され得る所定の機器と接続して、機器に対する録画再生を行う録画再生方法は、機器の中から、再生を行う再生対象機器を選択する第１の選択ステップと、第１の選択ステップの処理で選択された再生対象機器と接続する接続ステップと、第１の選択ステップの処理で選択された再生対象機器に対する再生指令を入力する入力ステップと、第１の選択ステップの処理で選択された再生対象機器に対する再生処理を実行する再生ステップと、機器の中から、予約録画を行う予約録画対象機器を選択する第２の選択ステップと、第２の選択ステップの処理で選択された予約録画対象機器と接続して、予約録画対象機器に対する予約録画を行う録画ステップとを含み、再生ステップは、録画ステップの処理で予約録画処理が実行されているときでも、再生対象機器と接続することを特徴とする。
【００２８】
本発明の、IEEE1394インタフェースを介して接続され得る所定の機器と接続して、機器に対する録画再生の制御をコンピュータに実行させるプログラムは、機器の中から、再生を行う再生対象機器を選択する第１の選択ステップと、第１の選択ステップの処理で選択された再生対象機器と接続する接続ステップと、第１の選択ステップの処理で選択された再生対象機器に対する再生指令を入力する入力ステップと、第１の選択ステップの処理で選択された再生対象機器に対する再生処理を実行する再生ステップと、機器の中から、予約録画を行う予約録画対象機器を選択する第２の選択ステップと、第２の選択ステップの処理で選択された予約録画対象機器と接続して、予約録画対象機器に対する予約録画を行う録画ステップとを含み、再生ステップは、録画ステップの処理で予約録画処理が実行されているときでも、再生対象機器と接続することを特徴とする。
【００２９】
本発明の、IEEE1394インタフェースを介して接続され得る所定の機器と接続して、機器に対する録画再生を行う録画再生装置および方法、並びにプログラムにおいては、機器の中から、再生を行う再生対象機器が選択され、選択された再生対象機器と接続され、選択された再生対象機器に対する再生指令が入力され、選択された再生対象機器に対する再生処理が実行され、機器の中から、予約録画を行う予約録画対象機器が選択され、選択された予約録画対象機器と接続して、予約録画対象機器に対する予約録画が行われ、予約録画処理が実行されているときでも、再生対象機器と接続される。
【発明の効果】
【００３０】
本発明によれば、例えば予約録画中でも再生を行うことができたり、再生画の視聴を妨げられることなく、予約録画が行われるようにするものである。
【発明を実施するための最良の形態】
【００３１】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００３２】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００３３】
本発明の、IEEE1394インタフェースを介して接続され得る所定の機器と接続して、機器に対する録画再生を行う録画再生装置（例えば、図５の録画再生装置１１）は、機器（例えば、図５の機器３）の中から、再生を行う再生対象機器を選択する第１の選択手段（例えば、図５の入力部３９）と、第１の選択手段により選択された再生対象機器と接続する接続手段（例えば、図５のIEEE1394インタフェース２）と、第１の選択手段により選択された再生対象機器に対する再生指令を入力する入力手段（例えば、図５の入力部３９）と、第１の選択手段により選択された再生対象機器に対する再生処理を実行する再生手段（例えば、MPEGデコード部３５乃至音声出力部３８）と、機器の中から、予約録画を行う予約録画対象機器を選択する第２の選択手段（例えば、図５の入力部３９）と、第２の選択手段により選択された予約録画対象機器と接続して、予約録画対象機器に対する予約録画を行う録画手段（例えば、図５のIEEE1394インタフェース２およびチューナ部３２乃至デマルチプレクサ３４）とを備え、再生手段は、録画手段により予約録画処理が実行されているときでも、再生対象機器と接続することを特徴とする。
【００３４】
本発明の、IEEE1394インタフェースを介して接続され得る所定の機器と接続して、機器に対する録画再生を行う録画再生方法は、機器の中から、再生を行う再生対象機器を選択する第１の選択ステップ（例えば、図６のステップＳ２１）と、第１の選択ステップの処理で選択された再生対象機器と接続する接続ステップ（例えば、図６のステップＳ２５）と、第１の選択ステップの処理で選択された再生対象機器に対する再生指令を入力する入力ステップ（例えば、図８のステップＳ３１）と、第１の選択ステップの処理で選択された再生対象機器に対する再生処理を実行する再生ステップ（例えば、図８のステップＳ３２）と、機器の中から、予約録画を行う予約録画対象機器を選択する第２の選択ステップ（例えば、図１０での選択処理）と、第２の選択ステップの処理で選択された予約録画対象機器と接続して、予約録画対象機器に対する予約録画を行う録画ステップ（例えば、図９のステップＳ４３）とを含み、再生ステップは、録画ステップの処理で予約録画処理が実行されているときでも、再生対象機器と接続することを特徴とする。
【００３５】
以下、本発明の実施の形態について図を参照して説明する。
【００３６】
図５は、本発明を適用した録画再生装置１１の構成例を表している。この録画再生装置１１は、IEEE1394インタフェース２を有し、このIEEE1394インタフェース２を介して、複数の機器３ −１，３−２，・・・・がデイジーチェンに接続されている。
【００３７】
録画再生装置１１は、テレビジョン番組を受信してそれを表示することができるとともに、所定の機器３に録画されている番組を、ユーザの、例えば図２に示したような操作パネルＰ（ボタンＰａ）に対する操作に応じて再生し表示することもできる。
【００３８】
録画再生装置１１はまた、受信したテレビジョン番組を、所定の機器３に、ユーザの操作パネルＰ（ボタンＰｂ）に対する操作に応じて録画することができるとともに、事前になされた録画予約に基づいて、テレビジョン番組を所定の機器３に録画することもできる（予約録画することができる）。
【００３９】
録画再生装置１１のCPU（Central Processing Unit）２１は、ROM（Read Only Memory）２２に記録されているプログラムからRAM（Random Access Memory）２３にロードされたプログラムに従って各種の処理を実行する。RAM２３にはまた、CPU２１が各種の処理を実行する上において必要なデータなども適宜記憶される。
【００４０】
CPU２１、ROM２２、RAM２３、および、日時を計時するタイマ２４は、バス２５を介して相互に接続され、このバス２５にはまた、入出力インタフェース２６も接続されている。
【００４１】
入出力インタフェース１６には、デマルチプレクサ３４、MPEG(Moving Picture Experts Group)デコード部３５、および入力部３９が接続されている。
【００４２】
チューナ部３２は、複数のチャンネルの中から、ユーザにより指定されたチャンネル（そのチャンネルに対応するテレビジョン放送局）から送信されてくるデジタル放送番組を、アンテナ３１を介して受信し、その結果得られたトランスポートストリームを、デスクランブラ３３に供給する。
【００４３】
デスクランブラ３３は、チューナ部３２から供給されたトランスポートストリームに施されているスクランブルを、必要に応じて解いてデマルチプレクサ３４に供給する。
【００４４】
デマルチプレクサ３４は、デスクランブラ３３から供給されたトランスポートストリームの中から、所望の番組の映像パケットと音声パケットを分離し、入出力インタフェース２６を介して、MPEGデコード部３５に供給する。
【００４５】
MPEGデコード部３５は、供給されたパケットをMPEG方式によりデコードし、アナログ信号（映像信号と音声信号）に変換する。MPEGデコード部３５は、生成された映像信号をOSD処理部３６に供給するとともに、音声信号を音声出力部３８に供給する。
【００４６】
OSD(On Screen Display)処理部３６は、供給されたアナログの映像信号に必要な情報を重畳し、または単独で表示部３７に供給する。表示部３７は、供給された映像信号を映像として表示し、音声出力部３８は、その映像に対応する音声信号（MPEGデコード部３５より供給された音声信号）を音声として出力する。
【００４７】
入力部３９は、ユーザからの指令を入力し、入出力インタフェース２６を介して、CPU２１に供給する。
【００４８】
入出力インタフェース２６にはまた、必要に応じてドライブ４０が接続され、磁気ディスク、光ディスク、光磁気ディスク、或いは半導体メモリなどよりなるリムーバブル記録媒体４１が適宜装着され、それらから読み出されたコンピュータプログラムがインストールされる。
【００４９】
ここで録画再生装置１１の、操作パネルＰを利用して録画再生を行う機器３（操作パネルＰで操作する機器３）とのLINC処理を、図６のフローチャートを参照して説明する。
【００５０】
ステップＳ２１において、操作パネルＰで操作する機器３が選択される。例えば、図７に示すよう表示された、LINC可能な機器３がリストアップされた操作画面を、ユーザが入力部３９を介して操作して、所望の機器３を選択する。
【００５１】
ステップＳ２２において、CPU２１は、操作パネルＰで操作される機器として他の機器３がLINCされているか否かを判定し、LINCされていると判定した場合、ステップＳ２３に進む。
【００５２】
ステップＳ２３において、CPU２１は、操作パネルＰで操作される他の機器３（現在LINCされている機器３）に対して操作パネルＰに対する操作による録画が実行されているか否かを判定する。すなわち前回行われた後述するステップＳ２６の処理で表示された操作パネルＰのボタンＰｂ（図２）が操作されて、LINCされている機器３に対する録画が実行されているか否かが判定される。
【００５３】
ステップＳ２３で、LINCされている機器３に対して操作パネルＰの操作による録画が実行されていないと判定された場合、CPU２１は、ステップＳ２４に進み、IEEE1394インタフェース２を制御して、現在LINCされている機器３とのLINCを解除させる。
【００５４】
ステップＳ２２で、操作パネルＰで操作される機器として他の機器３がLINCされていないと判定された場合、またはステップＳ２４で、LINCが解除された場合、ステップＳ２５に進み、CPU２１は、IEEE1394インタフェース２を制御して、ステップＳ２１で選択された機器３とLINCさせる。そしてステップＳ２６において、CPU２１は、図２に示したような操作パネルＰを表示部３７に表示する。
【００５５】
ステップＳ２３で、他の機器３に対して操作パネルＰに対する操作による録画が実行されていると判定された場合、ステップＳ２７に進み、CPU２１は、入出力インタフェース２６を介して、ステップＳ２１で選択された機器３とはLINCできない旨を、表示部３７に表示する。
【００５６】
ステップＳ２６で操作パネルＰが表示されたとき、またはステップＳ２７で、LINCできない旨が表示されたとき、処理は終了する。
【００５７】
すなわち録画再生装置１１では、操作パネルＰで操作する機器とのLINCは、従来の場合のように（図３）、予約録画のためのLINCがなされているか否かに関わらず行われるので（他の機器３が操作パネルＰの操作による録画が実行中である場合に限り拒否されるので）、例えば予約録画中でも、操作パネルＰを操作して機器３からの再生を行うことができる。なお操作パネルＰの操作による再生を行う場合の録画再生装置１１の動作を、図８に示す。
【００５８】
ステップＳ３１において、CPU２１は、操作パネルＰに対して再生操作がなされるまで（図２の例では、ボタンＰａが操作されるまで）待機し、その操作がなされたとき、ステップＳ３２に進む。
【００５９】
ステップＳ３２において、CPU２１は、図６のステップＳ２１で選択された機器３からの再生処理を実行する。すなわちIEEE1394インタフェース２を介して、ステップＳ２１で選択された機器３に記録されている所定のコンテンツが読み出され、MPEGデコード部３５によりデコードされて、表示部３７および音声出力部３８から出力される。
【００６０】
次に予約録画を行う場合の録画再生装置１１の動作を、図９のフローチャートを参照して説明する。
【００６１】
ステップＳ４１において、CPU２１は、タイマ２４を参照して録画開始時刻であるか否かを判定し、録画開始時刻であると判定した場合、ステップＳ４２に進む。なお録画予約は、図１０に示すような録画予約用の設定画面に所定の情報を入力することによって行われる。図１０の例では、機器３−１に対して、１２月１１日（土曜日）の午前１１時から１１時３０分に放送される番組Ａの録画予約が設定されている。
【００６２】
ステップＳ４２において、CPU２１は、操作パネルＰに対する操作による録画が実行中であるか否かを判定し、操作パネルＰに対する操作による録画が実行中ではないと判定した場合、ステップＳ４３に進む。
【００６３】
ステップＳ４３において、CPU２１は、IEEE1394インタフェース２を制御して、予約録画を行う機器３とLINCさせ、予約録画を開始する。すなわち図１０の例では、番組Ａの機器３−１への録画が開始される。
【００６４】
ステップＳ４２で、操作パネルＰに対する操作による録画が実行中であると判定された場合、ステップＳ４４に進み、CPU２１は、録画予約を解除する（予約録画は行われない）。
【００６５】
ステップＳ４３で予約録画が開始されたとき、またはステップＳ４４で録画予約が解除されたとき、処理は終了する。
【００６６】
すなわち録画再生装置１１では、予約録画されている画像は表示されず、操作パネルＰの操作による再生が行われている場合でも再生画像の表示が中断されないので、再生画像の視聴を妨げることなく、予約録画を行うことができる。
【００６７】
なお操作パネルＰに対する操作による録画は、図１１に示すように行われる。すなわちステップＳ５１において、CPU２１は、操作パネルＰに対して録画操作がなされるまで（図２の例では、ボタンＰｂが操作されるまで）待機し、その操作がなされたとき、ステップＳ５２に進む。
【００６８】
ステップＳ５２において、CPU２１は、録画を行う機器３において操作パネルＰに対する操作による再生が実行中であるか否かを判定し、実行中ではないと判定した場合、ステップＳ５３に進む。
【００６９】
ステップＳ５３において、CPU２１は、録画を行う機器３に対する予約録画が実行中であるか否かを判定し、実行中ではないと判定した場合、ステップＳ５４に進む。
【００７０】
ステップＳ５４において、CPU２１は、操作パネルＰに対する操作内容に応じた録画処理を、ステップＳ２１で選択された機器３に対して行う。すなわち例えばいま視聴中の放送番組が、IEEE1394インタフェース２を介して、選択された機器３に供給されて記録される。
【００７１】
ステップＳ５２で、再生中であると判定された場合、またはステップＳ５３で、予約録画中であると判定された場合、ステップＳ５５に進み、CPU２１は、操作パネルＰに対する操作による録画を行うことができない旨を、表示部３７に表示する。
【００７２】
上述した一連の処理は、ハードウエアにより実現させることもできるが、ソフトウエアにより実現させることもできる。一連の処理をソフトウエアにより実現する場合には、そのソフトウエアを構成するプログラムがコンピュータにインストールされ、そのプログラムがコンピュータで実行されることより、上述した録画再生装置１１が機能的に実現される。
【００７３】
なお、本明細書において、記録媒体により提供されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【００７４】
【図１】従来の録画再生装置の利用例を示している。
【図２】操作パネルの例を示している。
【図３】従来の、操作パネルで操作する機器のLINC処理を説明するフローチャートである。
【図４】従来の、予約録画処理を説明するフローチャートである。
【図５】本発明を適用した録画再生装置の構成例を示すブロック図である。
【図６】図５の録画再生装置の、操作パネルで操作する機器のLINC処理を説明するフローチャートである。
【図７】LINCする機器を選択するための画面の例を示す図である。
【図８】操作パネルからの再生処理を説明するフローチャートである。
【図９】図５の録画再生装置の、予約録画処理を説明するフローチャートである。
【図１０】予約録画する機器を選択するための画面の例を示す図である。
【図１１】操作パネルからの録画処理を説明するフローチャートである。
【符号の説明】
【００７５】
２  1394インタフェース，  ３  機器，  １１  録画再生装置，  ２１  CPU，  ２２  ROM，  ２３  RAM，  ２４  タイマ，  ２５  バス，  ２６  入出力インタフェース，  ３１  アンテナ，  ３２  チューナ部，  ３３  デスクランブラ，  ３４  デマルチプレクサ，  ３５  MPEGデコード部，  ３６  OSD処理部，  ３７  表示部，  ３８  音声出力部，  ３９  入力部
【図１】
2006060368.tif 000003
【図２】
2006060368.tif 000004
【図３】
2006060368.tif 000005
【図４】
2006060368.tif 000006
【図５】
2006060368.tif 000007
【図６】
2006060368.tif 000008
【図７】
2006060368.tif 000009
【図８】
2006060368.tif 000010
【図９】
2006060368.tif 000011
【図１０】
2006060368.tif 000012
【図１１】
2006060368.tif 000013